【誤訳訂正書】
【提出日】平成25年4月3日(2013.4.3)
【誤訳訂正１】
【訂正対象書類名】特許請求の範囲
【訂正対象項目名】全文
【訂正方法】変更
【訂正の内容】
【特許請求の範囲】
【請求項１】
無線リソース管理に関連する複数のコンフィグレーションを支援する移動体通信ネットワークにおける無線ネットワーク・ノードのための方法であって、
前記複数のコンフィグレーションの各コンフィグレーションを無線ネットワーク暫定識別子（ＲＮＴＩ）と関連付けるステップと、
無線リソース管理に関連する、ＲＮＴＩにより特定可能な少なくとも一つのコンフィグレーションを送信するステップと、
帯域外ダウンリンク制御チャネルで、アクティブにすべき前記コンフィグレーションを特定するＲＮＴＩを送信することにより、一つのコンフィグレーションをアクティブにするステップとを有し、
前記複数のコンフィグレーションの各々は、前記帯域外ダウンリンク制御チャネルで受信したスケジューリング命令をユーザ装置（ＵＥ）が解釈する方法を規定する複数のスケジューリング規則を含む種々のスケジューリング方法を特定することを特徴とする方法。
【請求項２】
前記帯域外ダウンリンク制御チャネルは、物理ダウンリンク制御チャネル（ＰＤＣＣＨ）であることを特徴とする請求項１に記載の方法。
【請求項３】
基本ＲＮＴＩに対して相対的なＲＮＴＩ値の集合を示すことにより、ＲＮＴＩの割り当てが圧縮されることを特徴とする請求項１に記載の方法。
【請求項４】
無線リソース管理に関連する追加的なコンフィグレーションを送信するステップを更に有し、
前記追加的なコンフィグレーションは、追加的なＲＮＴＩにより特定可能であることを特徴とする請求項１に記載の方法。
【請求項５】
ＲＲＣメッセージで前記少なくとも一つのコンフィグレーションと対応する識別子とを送信することを特徴とする請求項１に記載の方法。
【請求項６】
前記コンフィグレーションが永続的スケジューリングコンフィグレーションであることを特徴とする請求項１に記載の方法。
【請求項７】
移動体通信ネットワークにおけるユーザ装置（ＵＥ）のための方法であって、前記ＵＥは、無線リソース管理と関連する複数のコンフィグレーションを記憶し、使用するよう構成され、前記方法は、
前記複数のコンフィグレーションの各コンフィグレーションを無線ネットワーク暫定識別子（ＲＮＴＩ）と関連付けるステップと、
無線リソース管理に関連する、ＲＮＴＩにより特定可能な少なくとも一つのコンフィグレーションを受信するステップと、
ＲＮＴＩを帯域外ダウンリンク制御チャネルで受信するかどうかと、前記複数のコンフィグレーションの一つに関連するＲＮＴＩを何時受信するかを監視するステップと、
前記受信したＲＮＴＩにより特定したコンフィグレーションをアクティブにするステップとを有し、
前記コンフィグレーションの各々は、前記帯域外ダウンリンク制御チャネルで受信したスケジューリング命令をユーザ装置（ＵＥ）が解釈する方法を規定する複数のスケジューリング規則を含む種々のスケジューリング方法を特定することを特徴とする方法。
【請求項８】
基本ＲＮＴＩに対して相対的なＲＮＴＩ値の集合を示すことにより、ＲＮＴＩの割り当てが圧縮されることを特徴とする請求項７に記載の方法。
【請求項９】
前記無線リソース管理に関連する追加的なコンフィグレーションを受信するステップを更に有し、前記追加的なコンフィグレーションは、追加的なＲＮＴＩにより特定可能であることを特徴とする請求項７に記載の方法。
【請求項１０】
ＲＲＣメッセージで前記少なくとも一つのコンフィグレーションと対応する識別子とを受信することを特徴とする請求項７に記載の方法。
【請求項１１】
前記コンフィグレーションが永続的スケジューリングコンフィグレーションであることを特徴とする請求項７に記載の方法。
【請求項１２】
無線リソース管理に関連する複数のコンフィグレーションをサポートする移動体通信ネットワークに接続可能な無線ネットワーク・ノード（８０１）であって、
前記複数のコンフィグレーションの各コンフィグレーションを無線ネットワーク暫定識別子（ＲＮＴＩ）に関連付けるユニット（８０２）と、
無線リソース管理に関連する、ＲＮＴＩにより特定可能な少なくとも一つのコンフィグレーションを送信する送信機（８０２）と、
帯域外ダウンリンク制御チャネルで、アクティブにすべき前記コンフィグレーションを特定する所定タイプの識別子を送信することにより、一つのコンフィグレーションをアクティブにするユニット（８０３）とを備え、
前記複数のコンフィグレーションの各々は、前記帯域外ダウンリンク制御チャネルで受信したスケジューリング命令をユーザ装置（ＵＥ）が解釈する方法を規定する複数のスケジューリング規則を含む種々のスケジューリング方法を特定することを特徴とするネットワーク・ノード。
【請求項１３】
基本ＲＮＴＩに対して相対的なＲＮＴＩ値の集合を示すことにより、ＲＮＴＩの割り当てが圧縮されることを特徴とする請求項１２に記載のネットワーク・ノード。
【請求項１４】
前記コンフィグレーションが永続的スケジューリングコンフィグレーションであることを特徴とする請求項１２に記載のネットワーク・ノード。
【請求項１５】
移動体通信ネットワークに接続可能なユーザ装置（ＵＥ）（８１０）であって、
無線リソース管理に関連する複数のコンフィグレーションを記憶し、使用するよう前記ＵＥが構成され、
前記ＵＥは、
前記複数のコンフィグレーションの各コンフィグレーションを無線ネットワーク暫定識別子（ＲＮＴＩ）に関連付けるユニット（８１１）であって、前記関連付けるユニットが、無線リソース管理に関連する、ＲＮＴＩにより特定可能な少なくとも一つのコンフィグレーションを受信する受信機（８１４）を備えるところのユニットと、
前記ＲＮＴＩを受信したかどうかを監視するモニタ（８１２）と、
前記複数のコンフィグレーションの一つに関連するＲＮＴＩを受信した場合、前記受信したＲＮＴＩで特定されるコンフィグレーションをアクティブにするユニット（８１３）とを備え、
前記複数のコンフィグレーションの各々は、帯域外ダウンリンク制御チャネルで受信したスケジューリング命令をユーザ装置（ＵＥ）が解釈する方法を規定する複数のスケジューリング規則を含む種々のスケジューリング方法を特定することを特徴とするＵＥ。
【請求項１６】
基本ＲＮＴＩに対して相対的なＲＮＴＩ値の集合を示すことにより、ＲＮＴＩの割り当てが圧縮されることを特徴とする請求項１５に記載のＵＥ。
【請求項１７】
前記コンフィグレーションが永続的スケジューリングコンフィグレーションであることを特徴とする請求項１５に記載のＵＥ。
【誤訳訂正２】
【訂正対象書類名】明細書
【訂正対象項目名】全文
【訂正方法】変更
【訂正の内容】
【発明の詳細な説明】
【発明の名称】移動体通信ネットワークにおける方法と装置
【技術分野】
【０００１】
本発明は、移動体通信ネットワークにおける方法と装置に関する。具体的には、無線リソースに関連したコンフィグレーションの設定に関する。
【背景技術】
【０００２】
ユニバーサル移動体通信システム（ＵＭＴＳ）は、ＧＭＳを成功させるために設計された第３世代移動体通信技術の一つであり、３ＧＰＰロング・ターム・エボルーション（ＬＴＥ）は、ＵＭＴＳ標準を改善するための第３世代パートナーシップ・プロジェクト（３ＧＰＰ）内のプロジェクトである。ＵＭＴＳ地上波無線アクセス・ネットワーク（ＵＴＲＡＮ）はＵＭＴＳシステムの無線アクセス・ネットワークであり、発展型(evolved)ＵＴＲＡＮ（Ｅ−ＵＴＲＡＮ）はＬＴＥシステムの無線アクセス・ネットワークである。ＵＴＲＡＮでは、ユーザ装置（ＵＥ）は、ノードＢ（ＮＢ）と名付けた無線基地局に無線で接続されてあり、ＮＢは無線ネットワーク制御装置（ＲＮＣ）によって制御されている。ＲＮＣはコア・ネットワークに更に接続されている。しかしながら、Ｅ−ＵＴＲＡＮの無線基地局は発展型ノードＢ（ｅＮＢ）といわれ、ｅＮＢはコア・ネットワークに直接接続される。
【０００３】
ＵＴＲＡＮでは、資源管理に関連する様々なコンフィグレーションで各ＵＥを構成する。その様なコンフィグレーションの例はスケジューリングコンフィグレーションであり、ＭＩＭＯ（多入力多出力）コンフィグレーション、測定コンフィグレーションおよびＤＲＸコンフィグレーションである。従って、ＵＥには、例えば、一つの特定のスケジューリングコンフィグレーションが与えられ、スケジューリングコンフィグレーションに基づくスケジューリング命令を受信した場合は、ＵＥはある方法で振舞うべきである。
【０００４】
Ｅ−ＵＴＲＡＮでは、同じ形式の無線リソース管理に関連した複数のコンフィグレーションを処理できることが望まれる。例えば、複数のスケジューリングコンフィグレーションを処理し、複数の異なるスケジューリングコンフィグレーション間を切り替わることができるよう望まれるであろう。ＲＲＣ（無線リソース制御）手順を有する単一のコンフィグレーションを再構成する現在の手順は、二つ以上のコンフィグレーションを使用する場合は余りにも遅いであろう。
【０００５】
もっと具体的には、コンフィグレーション間の切換えをすばやい方法で行なうことができるように、ＵＥにおける複数のコンフィグレーションを設定し、再構成する必要がある。
【０００６】
更に、ＵＴＲＡＮでは、アクティブ化時刻を使用して、無線リソースに関連したコンフィグレーションの同期した再コンフィグレーションを処理する。即ち、ある接続フレーム番号（ＣＦＮ）の参照であるアクティブ化時刻を（より高いプロトコル・レイヤ・メッセージである）無線リソース制御（ＲＲＣ）プロトコル・メッセージに含め、ノードＢと同じ時刻にＵＥが新規のコンフィグレーションを使用し始めることを保証する。ＲＲＣメッセージはより低いプロトコル・レイヤでの再送信に制約される可能性があるので、メッセージの再送信を可能とするよう、アクティブ化時刻を将来に向けて十分遠く設定しなければならない。平均再送信遅延が小さい場合でも、何回かの再送信を必要とするメッセージが幾らかのパーセントで存在する。ＵＴＲＡＮにおける同期した再コンフィグレーションが比較的長い遅延の原因となることに結びつく最悪ケースをも対象とするよう、アクティブ化時刻を設定する必要がある。これらの遅延を避けることが、Ｅ−ＵＴＲＡＮにおける要望であった。
【０００７】
ＵＴＲＡＮにおけるアクティブ化時刻のもう一つの望ましくない結果は、ＵＥにおけるＲＲＣ手順の実行に著しい時間をとられる可能性があるという事実である。従って、ＵＴＲＡＮ  ＲＲＣでは、ＵＥにおける幾つかの並行に進む手順の処理を特定することが必要であった。この結果は、仕様における多くの複雑性もたらした。
【０００８】
これらの欠点のため、Ｅ−ＵＴＲＡＮのＲＲＣ仕様における"アクティブ化時刻解決策"を避けるよう、強い要望がある。
【０００９】
ＵＥと無線基地局との間で同期を必要とする可能性のあるＲＲＣコンフィグレーションの例は、スケジューリング、ＭＩＭＯパラメータ、ＣＱＩ報告の切換えである。
【発明の概要】
【発明が解決しようとする課題】
【００１０】
それ故、本発明の目的は、無線リソースに関連するコンフィグレーションを管理するための改善した方法と装置を実現することである。
【課題を解決するための手段】
【００１１】
一つのコンフィグレーションを識別する所定タイプの識別子で識別可能なコンフィグレーションをアクティブにするため、帯域外制御チャネルでその識別子を使用することにより、上記目的を達成する。その識別子に対応するコンフィグレーションをアクティブにすべきである場合、本識別子をネットワークからＵＥに送信する。これは、ＵＥと無線基地局の両方に、各コンフィグレーションと対応の各コンフィグレーションのアイデンティティとの間でマッピングすることを備える、ということを意味する。
【００１２】
本発明の第一の側面により、無線リソース管理に関連する複数のコンフィグレーションを支援する移動体通信ネットワークにおいて、無線ネットワーク・ノードのための方法を提供する。本方法で、複数のコンフィグレーションの各コンフィグレーションを所定タイプの識別子に関連付け、下り制御チャネルの帯域外で、アクティブにすべき前記コンフィグレーションを識別する所定タイプの識別子を送信することにより、一つのコンフィグレーションをアクティブにする。
【００１３】
本発明の第二の側面により、無線リソース管理に関連する複数のコンフィグレーションを記憶し、使用するようＵＥを構成した移動体通信ネットワークにおいて、ＵＥのための方法を提供する。本方法で、複数のコンフィグレーションの各コンフィグレーションを所定タイプの識別子に関連付ける。所定タイプの識別子を受信するかどうかを監視し、コンフィグレーションの一つに関連する所定タイプの識別子を受信した場合、所定タイプの受信識別子が識別するコンフィグレーションをアクティブにする。
【００１４】
本発明の第三の側面により、無線リソース管理に関連する複数のコンフィグレーションを支援する移動体通信ネットワークに接続可能な無線ネットワーク・ノードを提供する。本無線ネットワーク・ノードには、複数のコンフィグレーションの各コンフィグレーションを所定タイプの識別子に関連付けるユニットと、下り制御チャネルの帯域外で、アクティブにすべき前記コンフィグレーションを識別する所定タイプの識別子を送信することにより、一つのコンフィグレーションをアクティブにするユニットとを備える。
【００１５】
本発明の第四の側面により、無線リソース管理に関連する複数のコンフィグレーションを記憶し、使用するようＵＥを構成した移動体通信ネットワークに接続可能なＵＥを提供する。本ＵＥには、複数のコンフィグレーションの各コンフィグレーションを所定タイプの識別子に関連付けるユニットを備える。所定タイプの識別子を受信するかどうかを監視するモニタを更に提供する。本ＵＥには、コンフィグレーションの一つに関連する所定タイプの識別子を受信する場合、所定タイプの受信識別子が識別するコンフィグレーションをアクティブにするユニットを更に備える。
【００１６】
本発明の実施形態が有する利点は、選択したコンフィグレーションを早くアクティブにすることができるということである。
【００１７】
本発明の実施形態が有する更なる利点は、制御チャネルに過剰なシグナリング負担を持ち込まずに、持続的スケジューリングおよびバンドリングのような、異なるスケジューリング戦略を実装できるということである。
【００１８】
本発明の実施形態が有するまた更なる利点は、本解決策は古くならないということであり、新規のスケジューリング戦略を持ち込む場合、ＰＤＣＣＨの追加の拡張を全く必要としない。新規の解決策を構成するより高いレイヤのプロトコルでそれらを可能とすることにより、新規のスケジューリング戦略を持ち込むことができる。
【図面の簡単な説明】
【００１９】
【図１】本発明の実施形態がアクティブにできる、持続的スケジューリングと呼称する、一つのコンフィグレーションを示す。
【図２】従来技術による通常のスケジューリング方法を示す。
【図３】本発明の実施形態による、無線基地局が如何にスケジューリング方法を識別する第二のＲＮＴＩをセットアップするかを示す。
【図４】、
【図５】、
【図６】、
【図７】本発明の更なる実施形態を示す。
【図８】本発明の実施形態による、ＵＥと無線基地局を示す。
【図９】、
【図１０】本発明の実施形態による方法のフローチャートである。
【発明を実施するための形態】
【００２０】
本発明の好ましい実施形態を示す添付の図面を参照して、本発明について以下に更に十分に説明する。しかしながら、本発明は多くの異なる形式で実装できる可能性がり、本明細書で説明する実施形態に制限されると解釈すべきでなく、むしろ、この開示が徹底的で完全であり、当業者に本発明の範囲が十分に伝わるように、これらの実施形態を提供するものである。図面では、同じ参照記号は同じ要素を参照する。
【００２１】
更に、当業者は認識するであろうが、プログラムしたマイクロプロセッサまたは汎用計算機と連動して機能するソフトウエアを使用して、または特定用途向き集積回路（ＡＳＩＣ）を使用して、またはそれら両方を使用して、以下本明細書で説明する手段、ユニットおよび機能を実装してもよい。また、認識されるであろうが、本発明について主として方法とデバイスの形式で説明するが、本発明はまた、計算機プログラム、同じく計算機プロセッサとプロセッサに連結したメモリを備えるシステムに具体化してもよく、ここでメモリは、本明細書で開示する機能を実行する可能性のある一つ以上のプログラムで符号化されている。
【００２２】
上述のように、本発明の目的は、複数の無線リソースに関連するコンフィグレーションを処理する改善した方法と装置とを実現することである。一つのコンフィグレーションを識別する所定タイプの識別子で識別可能なコンフィグレーションをアクティブにするため、帯域外制御チャネルでその識別子を使用して、本目的を実現する。これは、ＵＥと無線基地局の両方に、各コンフィグレーションと各コンフィグレーションの対応するＩＤとの間のマッピングを備える、ということを意味する。所定タイプは、ＲＮＴＩ（無線ネットワーク一次識別子）であってもよく、帯域外制御チャネルは、Ｅ−ＵＴＲＡＮにおけるＰＤＣＣＨ（物理下り制御チャネル）であってもよい。例えば、各スケジューリングコンフィグレーションは特定のＲＮＴＩに関連していてもよく、ＰＤＣＣＨでその関連のＲＮＴＩを検出する場合、スケジューリングコンフィグレーションをアクティブにする。これは、様々なコンフィグレーション間ですばやく切り換えができるという結果をもたらす。コンフィグレーションと、それらの各々の所定タイプのＩＤとの関連とを、ＵＥとネットワークとで事前に定義してもよく、ネットワークからＵＥに、例えば、ＲＲＣメッセージを介して、ランダム・アクセス応答で報知し、またはそれに含めて、送信してもよい。
【００２３】
無線リソースコンフィグレーションＡでＵＥを構成し、少なくとも二次無線リソースコンフィグレーションＢを含むメッセージ、例えば、ＲＲＣメッセージを無線基地局が送信する、次の実施形態により、本発明を更に説明する。その結果、ＵＥは、一つの一次コンフィグレーションＡと、少なくとも一つの二次コンフィグレーションＢとを持つ。もし二次コンフィグレーションを含むメッセージを正しく受信し、ＵＥがそのメッセージで送信されたコンフィグレーションを使用する準備ができていれば、ＵＥは肯定確認通知（例えば、レイヤ３のＲＲＣ再コンフィグレーション完了メッセージまたは、レイヤ２またはレイヤ３の肯定確認通知の形式のレイヤ確認）で応答する。制御チャネルでコンフィグレーションＡまたはコンフィグレーションＢを示す識別子を帯域外で送信して、無線基地局はコンフィグレーションＡとコンフィグレーションＢのうちの一つをアクティブにする。上述のように、識別子はＲＮＴＩ（無線ネットワーク一次識別子）であってもよく、制御チャネルはＰＤＣＣＨ（物理下り制御チャネル）であってもよい。コンフィグレーションＡまたはコンフィグレーションＢを識別するＲＮＴＩの送信は、ＰＤＣＣＨでスケジューリング命令の機能を持ち、ＲＮＴＩはＣＲＣ（巡回冗長検査）チェックサムに暗に符号化してもよい。コンフィグレーションＡとコンフィグレーションＢのうちの一つをＵＥが識別することを目的したＲＮＴＩをＵＥが検出する場合、ＵＥはＲＮＴＩの検出をスケジューリング許可として解釈し、ＲＮＴＩが識別したコンフィグレーションをアクティブにする。ｅＮＢとＵＥは、送信／受信した許可／割当が有効とした同じＴＴＩ中でアクティブにしたコンフィグレーションの使用を開始する（または、必要であれば、その後一定の数のサブフレームの使用に本コンフィグレーションを取り込む）。
【００２４】
ネットワークは、ＲＲＣ再コンフィグレーションメッセージに対してＬ２またはＬ３肯定確認通知を受信した後に直ちにアクティブにすべきコンフィグレーションの表示を高速制御チャネル例えばＰＤＣＣＨで送信できるので、この手順では、再送信遅延が実際に起こる場合にはその再送信遅延を被るのみである。それ故、平均の再コンフィグレーション遅延は、アクティブ化時刻を使用する手順よりはるかに少ない。
【００２５】
上述のように、ＲＴＮＩの一つの実施形態によれば、下り制御チャネルＰＤＣＣＨのＲＲＣメッセージで所定のタイプを送信する。ＲＲＣを介して（一つまたは幾つかのＲＲＣメッセージで）、ＰＤＣＣＨの２個の識別子ビットで４個の異なるコンフィグレーションを設定できる。次に、ＰＤＣＣＨで送信した識別子を使用して、同期したやり方でこれらのコンフィグレーション間で迅速に切換えることができ、これは、ｅＮＢおよびＵＥが同時に本コンフィグレーションを使用し始めるということを意味する。追加のＲＲＣ手順は全く必要としない。
【００２６】
また、注意すべきことであるが、本発明の実施形態による解決策は、それらがコンフィグレーション間で異なるどんな特徴にも依存しないという意味で一般的である。例えば、もし２個のコンフィグレーションのみがＵＥで構成されているなら、第一のコンフィグレーションは、永続的にスケジューリングされた単一アンテナである可能性があり、第二のコンフィグレーションは永続的にスケジューリングされていないＭＩＭＯアンテナである可能性がある。その他の組合せまたは機能的相違は、例えば、ＭＩＭＯコンフィグレーション、測定コンフィグレーション、ＤＲＸコンフィグレーションおよびスケジューリングコンフィグレーションを含めて適用可能であろう。例にはＭＩＭＯコンフィグレーションを含み、例えば、空間多重化に一つのコンフィグレーションを設定し、送信ダイバーシティにもう一つのコンフィグレーションを設定する。複数の測定コンフィグレーションには、本発明によりアクティブにできる可能性のある、様々な閾値レベルを含む移動度測定のための様々なコンフィグレーションを含む可能性がある。ＤＲＸ動作を定める複数の集合のパラメータを設定するという複数のＤＲＸコンフィグレーション（例えば、バッテリ消費の応答時間を最適化するもの）を設定することにより、ＤＲＸのバリエーションを獲得できる可能性があり、逆の場合も同じである。
【００２７】
スケジューリングコンフィグレーションの同期したアクティブ化に関しては、通常のスケジューリングコンフィグレーションにおいて、Ｅ−ＵＴＲＡＮのｅＮＢは上りおよび下りの両方のリンクをスケジューリングし、物理下り制御チャネル（ＰＤＣＣＨ）でスケジューリング命令を送信する。上りまたは下り共用チャネル、または、上り共用チャネル（ＵＬ−ＳＣＨ）または下り共用チャネル（ＤＬ−ＳＣＨ）それぞれでＵＥをスケジューリングした時はいつでもＰＤＣＣＨに表示がある。通常の上りリンク・スケジューリングは、ＵＥが、所定の次の送信時間間隔（ＴＴＩ）に対して有効なスケジューリング命令（許可）を受信する、ということを意味する。通常のスケジューリングのためのＰＤＣＣＨのスケジューリング命令の情報には、以下に関する情報を含む。
・無線リソース（リソース・ブロック）、即ち、ＵＥがデータを（ＤＬで）読む、またはデータを（ＵＬで）送るべきところ、
・ＵＥが、ＵＬ／ＤＬ共用チャネルそれぞれでデータを送信／受信する"場所"と"方法"の両方を知るような、符号化、冗長バージョン、転送ブロック・サイズ等。ＰＤＣＣＨの情報の詳細は、例えば、ＵＴＲＡＮのＨＳ−ＤＳＣＨに非常に似ており、ＨＳ−ＳＣＣＨは、高速物理下り共用チャネルＨＳ−ＰＤＳＣＨでスケジューリングした送信の正しい解釈に必要なこの帯域外情報を運ぶ。
【００２８】
スケジューリングした送信において、その送信がどのＵＥを目的としているかを特定するため、帯域外制御チャネル（ＵＴＲＡＮ  ＤＬのＨＳ−ＳＣＣＨおよびＥ−ＵＴＲＡＮのＰＤＣＣＨ）で、スケジューリングした送信のＵＥＩＤ、ＲＮＴＩをまた運ばなければならない。ＵＴＲＡＮでは、このＩＤを明示的には送信しないが、ＣＲＣ計算とＨＳ−ＳＣＣＨ通信路符号化に暗に含める。
【００２９】
上記ＩＤは、単一のＵＥのみをスケジューリングする場合は、ＵＥに対して固有でなければならない。ＵＴＲＡＮでは、このＤＬ（ＨＳ−ＤＳＣＨ）ＩＤをＨＳ−ＲＮＴＩと呼び、上りリンク（Ｅ−ＤＣＨ）スケジューリングは、Ｅ−ＲＮＴＩ（ＲＮＴＩ−無線ネットワーク暫定ＩＤ）に基づく。
【００３０】
Ｅ−ＵＴＲＡＮでは、固有のＵＥＩＤに対する現在の略称はＣ−ＲＮＴＩであり、"Ｃ"は、このＵＥＩＤがこのセル(cell)のＵＥに対して固有であることを反映している。
【００３１】
以下に、本発明の実施形態に対する特別な例として、Ｅ−ＵＴＲＡＮを使用する。しかしながら、本発明の以下の実施形態は全て、多くのＵＥが共有するチャネルでデータをスケジューリングする、同様な特性を有する任意の無線ネットワークに適用可能であるということは、当然明らかである。
【００３２】
すでに注意したように、Ｅ−ＵＴＲＡＮのＵＥのスケジューリングは、上りリンクおよび下りリンクの両方において、ｅＮＢの責務である。
・下りリンクでは、正しいＵＥがデータを正確に復号できるよう、ＤＬ−ＳＣＨのそのデータと並列にＰＤＣＣＨで情報を送信する。
・上りリンクでは、ＵＥがＵＬ−ＳＣＨでデータを送信する場合、ＵＥがそのデータを正しく復号し送信できるよう、イベントの前にＰＤＣＣＨで情報を送る。
【００３３】
従って、上記で説明した通常のスケジューリングおよび"永続的スケジューリング"または"半永続的スケジューリング"と呼称するスケジューリング方法のような様々なスケジューリングコンフィグレーションを管理し、アクティブにするよう、本発明の実施形態を使用してもよい。（半）永続的スケジューリングでもって、幾つかのＴＴＩに及んで有効性を持つスケジュール許可１００を出すことにより、ＰＤＣＣＨ制御チャネルのトラヒック量を削減することが望まれている。その間永続的許可が有効であるこれらの複数のＴＴＩは、周期的に、例えば、ボイス・オーバ・インターネット・プロトコル（ＶｏＩＰ）トラヒックに対して特に有益な可能性のある２０ｍｓ毎に発生し得るであろう。或いは、永続的許可は幾つかの連続するＴＴＩに及ぶことができるであろう。従って、永続的スケジューリングコンフィグレーションは、永続的スケジューリングの周期性を示す可能性がある。
【００３４】
許可が周期的に有効であるという永続的スケジューリングを図１に示す。
【００３５】
それ故、本発明の実施形態を使用することにより、下り帯域外制御チャネ（例えば、ＰＤＣＣＨ）で発生し、シグナリングしたスケジュール許可が、単一のＴＴＩの間のみ有効（通常のスケジューリング）であるかどうか、または、許可の有効性が永続的かどうか、即ち、許可の有効性が幾つかのＴＴＩに及ぶかどうかを示すため、コスト効率的な解決策を提供する。
【００３６】
所定タイプの幾つかの追加のＩＤを使用して、これを実現する。本発明の実施形態によれば、本所定タイプは無線ネットワーク暫定識別子（ＲＮＴＩ）であり、それは、異なる"スケジューリング方法"が、スケジューリングでＲＮＴＩのどれを使用するか、およびＲＮＴＩを帯域外チャネル、例えば、ＰＤＣＣＨでどこで運ぶかに依存して適用できるよう、帯域外制御チャネルで送信される。
【００３７】
その結果、通常のスケジューリングした送信に使用するＲＮＴＩとは別のＲＮＴＩで永続的スケジューリングをスケジュールしてもよく、通常のスケジューリングした送信に使用するＲＮＴＩとは別の更なるＲＮＴＩでもう一つの永続的スケジューリングをスケジュールする。
【００３８】
別の実施形態には、より上位のレイヤ・プロトコルを使用して、ＲＮＴＩとＲＮＴＩに関連するスケジューリング計画を構成する解決策を含む。即ち、より上位のレイヤ・プロトコルは、ＵＥと無線基地局の両方が知っているべき、各スケジューリング方法と対応するＲＮＴＩとの間のマッピングを提供する。
【００３９】
その上、ＲＮＴＩとそれに関連したスケジューリング方法を構成する、より上位のレイヤ・プロトコル、即ち、ｅＮＢからＵＥへのコンフィグレーションの送信は、ＲＲＣまたはメディア・アクセス制御（ＭＡＣ）であってもよい。コンフィグレーションは、ＵＥ固有または幾つかのＵＥに（通常は、セル内の全ＵＥに、即ち、セル全体にわたって）共通、またはそれらの組合せ（例えば、セル全体にわたるスケジューリング方法のコンフィグレーションに関連するＵＥ固有のＲＮＴＩ）であり得る。共通チャネルの報知またはシグナリングがセル全体のコンフィグレーションを典型的に実行する個別シグナリングによって、ＵＥ特定のコンフィグレーションは通常は実行される。デフォルトコンフィグレーションもまた、本仕様によって提供可能である。
【００４０】
更に、本発明の実施形態はまたＵＥに関係し、ＵＥは、複数のスケジューリング方法のような複数の無線リソースコンフィグレーションで構成し、そして、所定タイプの幾つかのＩＤ、例えば、ＲＮＴＩを監視するよう構成する。もし、より上位のレイヤでＵＥを構成するなら、帯域外制御チャネルのスケジューリング命令に関連して検出された所定タイプのＩＤのどれかに依存する様々なスケジューリング方法に従ってＵＥは動作する。
【００４１】
Ｅ−ＵＴＲＡＮでは、帯域外制御チャネルはＰＤＣＣＨチャネルであり、ＲＮＴＩはＣ−ＲＮＴＩであり、スケジュールしたデータはＤＬ−ＳＣＨまたはＵＬ−ＳＣＨで運ばれる。
【００４２】
ＵＴＲＡＮでは、帯域外制御チャネルはＵＴＲＡＮの帯域外制御チャネルであり、ＲＮＴＩはＨＳ−ＲＮＴＩまたはＥ−ＲＮＴＩであり、データはＨＳ−ＤＳＣＨまたはＥ−ＤＣＨで運ばれる。
【００４３】
Ｅ−ＵＴＲＡＮシナリオにおける次の例で、上記の実施形態を示すが、そこでは、所定の形式はＣ−ＲＮＴＩであり、帯域外制御チャネルはＰＤＣＣＨである。第一に、ＲＲＣ  ＣＯＮＮＥＣＴＥＤ状態にあるｅＮＢに接続されているＵＥを仮定する。従来技術によれば、このＲＲＣ  ＣＯＮＮＥＣＴＥＤ状態では、ｅＮＢが発生する任意のスケジューリング命令がこのＵＥに一意的に宛てることができるよう、ＵＥはセルに固有のＣ−ＲＮＴＩを持っている。この通常のスケジューリング方法を"スケジューリング方法Ａ"と称する。現状技術のシナリオを図２に示す。
【００４４】
図２で、より高いレイヤ・シグナリングを使用して、ＵＥにＣ−ＲＮＴＩを割当てていた。次に、ＵＥはＰＤＣＣＨチャネルを監視し、もし、図２に示すようにＰＤＣＣＨのその割当てたＣ−ＲＮＴＩＩＤを識別するなら、ＵＥは方法Ａによるスケジューリング命令に従う。下りリンク送信のｅＮＢから本スケジューリング命令を送信してもよい。
【００４５】
ここで、本発明の一つの実施形態により、少なくとも所定タイプの第二のＩＤを使用し、本第二のＩＤで様々なスケジューリング方法を識別できる。この場合、追加のＣ−ＲＮＴＩをＵＥに割当て、この追加のＣ−ＲＮＴＩは、ＵＥが方法Ｂによるスケジューリング命令に当然従うことを意味してもよい。
【００４６】
例えば、永続的スケジューリング（スケジューリング方法Ｂ）が有益であり得る、ＶｏＩＰ接続をセットアップすることが望まれる可能性がある。或いは、もう一つのスケジューリング方法Ｂが有益でありそうな、悪いサービスアリアの領域に端末が移動しているということを識別する可能性がある。希望のスケジューリング方法にもかかわらず、図３に示すように、"スケジューリング方法Ｂ"を特定する第二のＲＮＴＩ（Ｃ−ＲＮＴＩ＿Ｂ）をここでセットアップする。
【００４７】
図３で、ＲＲＣシグナリングを使用して第二のスケジューリング方法Ｂを構成し、ここで方法ＢはここでＣ−ＲＮＴＩ＿Ｂに関連付けられている。ここに示した２個のＲＮＴＩと、対応する２つのスケジューリング方法とに加えて、追加のＲＮＴＩと対応するスケジューリング方法とを構成してもよい。スケジューリング方法の例は、"半永続的スケジューリング"および、送信バンドルのようなその他のスケジューリング方法、または各スケジューリング方法に関連する様々なアンテナコンフィグレーションである。
【００４８】
ここで、ＵＥは、２個のコンフィグレーションと、それぞれのスケジューリング方法とそれぞれのＣ−ＲＮＴＩとの関連とを受信した。結果として、ＵＥはＰＤＣＣＨ帯域外制御チャネルをリスンし、もし第一のＲＮＴＩ（Ｃ−ＲＮＴＩ＿Ａ）を識別するなら、構成したスケジューリング方法Ａに従い、もし図４に示すように第二のＲＮＴＩ（Ｃ−ＲＮＴＩ＿Ｂ）を識別するなら、スケジューリング方法Ｂに従って動作する。
【００４９】
例えば、もし方法Ｂが"半永続的スケジューリング"であるなら、ＵＥがＣ−ＲＮＴＩ＿Ｂに関連するＰＤＣＣＨでスケジューリング命令を識別するのであれば、ＵＥは当然永続的スケジューリングのためのスケジューリング規則に従い、図１に示す方法によってデータを送信または受信すべきである。
【００５０】
それ故、様々なスケジューリング方法間で交替を繰り返すために、スケジューリング命令として様々なＣ−ＲＮＴＩをＰＤＣＣＨに送信する。より高いレイヤ（望ましくはＲＲＣまたはＭＡＣ）を介して、Ｃ−ＲＮＴＩに関連するスケジューリング命令を如何に解釈すべきかについての詳細を構成する。これらの詳細には、例えば、以下のことを含む。
・許可の周期性、即ち、構成したＴＴＩまたはＨＡＲＱ手順毎に一度有効である許可。
・許可が有効である連続的なＴＴＩの数。
・ＵＥが各スケジュール済みＴＴＩ後に、ハイブリッド自動再送要求（ＨＡＲＱ）フィードバックを送信すべきかどうか、または構成したＴＴＩ数の後にフィードバックを送信するのみかどうかの表示。
・ＵＥが各スケジュール済みＴＴＩの後に受信ＨＡＲＱフィードバックを期待し動作すべきかどうか、または構成したＴＴＩ数の後に受信したＨＡＲＱフィードバックを期待し動作するのみかどうかの表示。
・幾つかのＴＴＩの間、許可が有効である場合のため、および、各ＴＴＩで異なるデータ（ＭＡＣ  ＰＤＵ）を送信すべきかどうか、または冗長バージョンのような異なる物理レイヤで同じデータ（ＭＡＣ  ＰＤＵ）を送信（繰り返す）すべきかどうかの表示。
【００５１】
無線リソース・ブロック、符号化方式、転送ブロック・サイズ等のような、ＰＤＣＣＨで送られたその他の情報に関して、ＵＥは第一の方法と第二の方法の両方のために共通ルールに従ってもよく、ＵＥは、より上位のレイヤが発行したコンフィグレーションに応じて様々な規則に従ってもよい。それ故に、ＵＥは、識別したＲＮＴＩおよび対応のコンフィグレーションに依存して異なるように、ＰＤＣＣＨのビットを解釈してもよい。
【００５２】
本解決策は、ＵＬ−ＳＣＨのＵＬ送信、同じくＤＬ−ＳＣＨのＤＬ送信の両方に対して適用可能である。
【００５３】
以前の例では、ＲＲＣ  ＣＯＮＮＥＣＴＥＤ状態のＵＥを仮定したが、本発明の実施形態はまた、ＲＲＣ  ＣＯＮＮＥＣＴＥＤ状態にないＵＥにも、具体的には、しかしこれに限定されないが、ＲＲＣ  ＣＯＮＮＥＣＴＥＤ状態に入る前の、それ故、固有のＣ−ＲＮＴＩを持つ前のＵＥに適用可能である。
【００５４】
固有のＣ−ＲＮＴＩを獲得し、ＲＲＣ  ＣＯＮＮＥＣＴＥＤ状態に入るため、Ｅ−ＵＴＲＡＮでは、ＵＥが第一にランダム・アクセス署名を送信する場所で、ランダム・アクセス手順を実行する。ｅＮＢがこの署名を検出すると、ＵＥは、図５に示すように、ランダム・アクセス応答に依存する暫定Ｃ−ＲＮＴＩをＵＥに割り当てるランダム・アクセス応答で応答する。複数のＵＥはランダム・アクセス署名を送信してしまってもよく、その結果、同じランダム・アクセス応答を受信するであろう。それ故、複数のＵＥがそれを受信した可能性があるから、暫定Ｃ−ＲＮＴＩは特定のＵＥに固有ではない可能性がある。もし二個以上のＵＥが同じＣ−ＲＮＴＩを受信するなら、複数のＵＥが同じ暫定ＩＤの所有権を想定するであろう。それらの第一のＵＬ  Ｌ３メッセージでは、両方のＵＥは、ｅＮＢからの次の応答でミラーバックされた、より長い固有のＩＤを明らかにするであろう。この応答でそれ自身の長いＩＤを見つけ出さないＵＥは身を引かなければならず、応答でそれ自身の長いＩＤを見つけ出すまで新規のＲＡ手順を始める。
【００５５】
上記で説明したように、本発明の実施形態はまた、暫定Ｃ−ＲＮＴＩまたはランダム・アクセス応答かその他の上位のレイヤ・シグナリングを有するＣ−ＲＮＴＩのような複数のＩＤを割当てて構成することにより、遅延とシグナリング・オーバヘッドを削減する方法にも関係がある。図６にこれの例を提供する。
【００５６】
基本的暫定Ｃ−ＲＮＴＩ＿０またはＣ−ＲＮＴＩ＿０に対して相対的な値の集合を示すことにより、暫定Ｃ−ＲＮＴＩとＣ−ＲＮＴＩ割当を圧縮できる。
Ｃ−ＲＮＴＩ＿ｉ＝ｆ（Ｃ−ＲＮＴＩ＿０、Ｎi）
例えば、本集合は、（仕様によりシグナリングしたか与えた）幾つかの規則により、隣接する値の範囲または非隣接の値の集合であり得る。例えば、
Ｃ−ＲＮＴＩ＿Ａ＝Ｃ−ＲＮＴＩ＿０
Ｃ−ＲＮＴＩ＿Ｂ＝Ｃ−ＲＮＴＩ＿Ａ＋１
割り当てでまたは事前に定義して基本的な値を示すことができる。各追加の暫定Ｃ−ＲＮＴＩまたはＣ−ＲＮＴＩに対して、Ｎｉのみを示す必要がある。
【００５７】
Ｎｉ＝ｉの場合に対しては、Ｎｉは個別にはシグナルされる必要はなく、Ｎｉの代わりに、追加の暫定Ｃ−ＲＮＴＩまたはＣ−ＲＮＴＩの数のみを示すことにより、割り当てを更に圧縮できる。図７に例を提供する。
【００５８】
Ｅ−ＵＴＲＡＮは、上述のように、暫定Ｃ−ＲＮＴＩをＣ−ＲＮＴＩに昇格すること、または変換することを支援する。そのような昇格または変換からもたらされるＣ−ＲＮＴＩは、暫定Ｃ−ＲＮＴＩに関連するコンフィグレーションを継承できるか、または上位のレイヤによって構成することができる。
【００５９】
本図はＥ−ＵＴＲＡＮに関する。しかしながら、本解決策は、ＩＤがＨＳ−ＲＮＴＩ、Ｅ−ＲＮＴＩであり、制御チャネルが、例えば、Ｈ−ＳＣＣＨ、Ｅ−ＡＧＣＨ、Ｅ−ＲＧＣＨであり、データ部分を運ぶデータ転送チャネルがそれぞれＨＳ−ＤＳＣＨとＥ−ＤＣＨである、ＵＴＲＡＮのようなその他のシステムに等しく適用可能である。
【００６０】
それ故、新規のコンフィグレーションをアクティブにすべきであるという表示のために、暫定Ｃ−ＲＮＴＩを使用して、本発明の実施形態によりＲＮＴＩを割当てた直後にコンフィグレーション間の切換えが始まるよう、複数のコンフィグレーションをセットアップ時に構成できる可能性がある。
【００６１】
また、無線基地局は、無線リソースコンフィグレーション、例えば、コンフィグレーションＡとコンフィグレーションＢに関する少なくとも２個の無線リソースコンフィグレーションを示すメッセージを送信してもよい。帯域外下り制御チャネルでの表示は、新規のコンフィグレーションを使用に取り入れるべき場合にトグルする単一の表示ビットのみである。拡張として、もし新規のコンフィグレーションメッセージを全く受信しなかった場合、本表示ビットをトグルするなら、ＵＥは前のコンフィグレーションに戻るようトグルする。２個の異なるコンフィグレーションを、それぞれ、一つの表示値にマッピングしたＲＲＣプロトコルを介して、前もって構成することができ、ＰＤＣＣＨで送信した表示は、それらの間の切換えを表示できる。
【００６２】
ここで、ＵＥと本発明の実施形態による無線基地局とを示す、図８を参照する。
【００６３】
無線基地局８０１は、無線リソース管理に関連する複数のコンフィグレーションを支援する、移動体通信ネットワークに接続可能である。無線基地局８０１には、複数のコンフィグレーションの各コンフィグレーションを所定タイプの識別子に関連付けるユニット８０２を備える。コンフィグレーションを対応する識別子に関連付けるユニット８０２に接続して、これらの関連を記憶する記憶装置８１６を提供してもよい。送信器８０４を介してＵＥに本コンフィグレーションを送信してもよい。加えて、送信器８０４で、アクティブにすべき前記コンフィグレーションを特定する所定タイプの識別子を送信することにより、一つのコンフィグレーションをアクティブにするユニット８０３を提供する。下り制御チャネルの帯域外で本識別子を送信する。
【００６４】
更に、図８に示すように、無線基地局８０１を介して移動体通信ネットワークに接続可能なＵＥ８１０を提供する。無線リソース管理に関連する複数のコンフィグレーションを記憶８１５し、使用するようＵＥを構成する。ＵＥには、複数のコンフィグレーションの各コンフィグレーションを所定タイプの識別子に関連付けるユニット８１１と、受信器８１４が所定タイプの識別子を受信したかどうかを監視するモニタ８１２と、コンフィグレーションの一つに関連する所定タイプの識別子を受信した場合、所定タイプの受信した識別子が識別したコンフィグレーションをアクティブにするユニット８１３とを備える。例えば、ＲＲＣメッセージで受信器８１４が本コンフィグレーションを受信してもよいし、または前もって定義し、メモリ８１５に記憶してもよい。
【００６５】
図９は、本発明の実施形態による無線基地局における方法のフローチャートである。ステップ９０１で、識別子に各コンフィグレーションを関連付ける。次に、複数のコンフィグレーションをＵＥ９０２、９０３に送信し、そして恐らくまた対応する識別子に関連を送信する。無線基地局が一つのコンフィグレーションをアクティブ９０４にしたい場合、アクティブにすべきコンフィグレーションに対応する識別子をＵＥに送信する。
【００６６】
図１０は、本発明の実施形態によるＵＥにおける方法のフローチャートである。ステップ１００１で、識別子に各コンフィグレーションを関連付ける。無線基地局からの関連を受信して、それを達成できる。次に、無線基地局１００２、１００３かあら複数のコンフィグレーションを受信する。無線基地局が一つのコンフィグレーションをアクティブにしたい場合、アクティブにすべきコンフィグレーションに対応する識別子をＵＥに送信し、ＵＥが前記識別子を検出すると、本コンフィグレーションをアクティブにできる（１００４）。
【００６７】
本発明は、上記で説明した好ましい実施形態に限定されない。多くの変更、修正および等価を使用してもよい。従って、上記の実施形態は、添付の特許請求項が定義する、本発明の範囲を制限するものとして受け取られるべきではない。
【誤訳訂正３】
【訂正対象書類名】図面
【訂正対象項目名】図８
【訂正方法】変更
【訂正の内容】
【図８】
2011508511.tif 000001
【誤訳訂正４】
【訂正対象書類名】図面
【訂正対象項目名】図９
【訂正方法】変更
【訂正の内容】
【図９】
2011508511.tif 000002
【誤訳訂正５】
【訂正対象書類名】図面
【訂正対象項目名】図１０
【訂正方法】変更
【訂正の内容】
【図１０】
2011508511.tif 000003